(57)【要約】【課題】光軸方向に進退し全長が変化するレンズ装置において、外観を犠牲にすることなく防水防滴性能を確保することが難しい。【解決手段】外部空間に面し、光軸方向に進退する移動筒９を有するレンズ装置において、移動筒の周壁部９ｅに、この周壁部を貫通する通気孔９ｂ，９ｃを形成し、通気孔を塞ぐように配置された撥水性微多孔部材１１と、移動筒の周壁部の外周に撥水性微多孔部材を覆うように配置され、かつ通気孔および撥水性微多孔部材を通る空気の通路となる、外部空間に対して光軸方向に向かって開口する隙間Ｓを空けて配置された外観部材４とを設ける。【選択図】　　図１０
2004093612.tif 000002
【特許請求の範囲】
【請求項１】
外部空間に面し、光軸方向に進退する移動筒を有するレンズ装置であって、
前記移動筒の周壁部に、この周壁部を貫通する通気孔が形成されており、
前記通気孔を塞ぐように配置された撥水性微多孔部材と、
前記移動筒の周壁部の外周に前記撥水性微多孔部材を覆うように配置され、かつ前記通気孔および前記撥水性微多孔部材を通る空気の通路となる、外部空間に対して光軸方向に向かって開口する隙間を空けて配置された外観部材とを有することを特徴とするレンズ装置。
【請求項２】
前記隙間が、光軸方向のうち被写体側とは反対方向に向かって開口することを特徴とする請求項１に記載のレンズ装置。
【請求項３】
前記移動筒が、最も被写体側のレンズを保持することを特徴とする請求項１又は２に記載のレンズ装置。
【請求項４】
前記外観部材が、前記最も被写体側のレンズの前に光学フィルタを装着するための部材であることを特徴とする請求項３に記載のレンズ装置。
【請求項５】
前記通気孔が、前記移動筒の周壁部に形成された、前記移動筒に対して前記レンズの光軸方向位置を調節するためのカム溝又は前記レンズを固定するために用いられる孔であることを特徴とする請求項３に記載のレンズ装置。
【請求項６】
前記通気孔が前記移動筒の周壁部の周方向複数箇所に形成されており、これら複数の通気孔を、周方向に延びるよう一体に形成された前記撥水性微多孔部材で塞いだことを特徴とする請求項１から５のいずれか１項に記載のレンズ装置。
【請求項７】
前記複数の通気孔が、前記移動筒の周壁部の周方向複数箇所に略等間隔で形成されていることを特徴とする請求項６に記載のレンズ装置。
【請求項８】
前記移動筒が最も被写体側のレンズを保持し、固定部に対して光軸方向に進退可能であり、
前記レンズの周囲に形成される、複数の部材間の隙間をシール部材によって封止し、
かつ前記移動筒と前記固定部との間の隙間を、前記移動筒に対して摺動可能な摺動部材によって封止したことを特徴とする請求項３に記載のレンズ装置。
【請求項９】
外部空間に面し、固定部に対して光軸方向に進退する移動筒を有するレンズ装置であって、
前記移動筒と前記固定部との間の隙間を前記移動筒に対して摺動可能な摺動部材によって封止し、
前記摺動部材は、前記固定部に対して光軸直交方向に変位する前記移動筒とともに移動可能なように前記固定部に保持されていることを特徴とするレンズ装置。
【請求項１０】
前記摺動部材と前記固定部との間に防滴性の油又は接着剤が塗布され、
前記摺動部材は前記固定部に光軸回りでの回転が阻止された状態で保持されていることを特徴とする請求項９に記載のレンズ装置。
【発明の詳細な説明】
【０００１】
【発明の属する技術分野】
本発明は、レンズ装置、特に防水防滴性能を備えたレンズ装置に関するものである。
【０００２】
【従来の技術】
従来、ズーム機構を備えたレンズ鏡筒（レンズ装置）において、最も被写体側に配置されたレンズまたはレンズ群を保持しているレンズ保持枠がズーミングに際して移動し（全長が変化し）、レンズ鏡筒の内部の空気の占める容積が変化するものが数多く存在する。このようにレンズ鏡筒の内部容積が変化する際には、レンズ鏡筒の隙間から空気がレンズ鏡筒内に出入りし、レンズ鏡筒内の圧力が外圧と実質的に同一に保たれ、レンズ保持枠がスムーズに移動可能となる。
【０００３】
一方、このようなレンズ鏡筒に対して防水防滴性能を持たせようとすると、レンズ鏡筒は外部に対して密閉されるため、空気の出入りができなくなる。そこで、特許第２９０９９０６号、特開平９−１９７５２７号および特開平１１−１９０８８１号公報には、カメラ本体の一部（グリップ部や側面）に開口部を設けたり、レンズ鏡筒の筒部分に開口部を設け、この開口部に空気の通過は許容し、水滴の通過は禁止するゴアテックス（登録商標）やミクロテックス（登録商標）などの撥水性微多孔部材を配置し、空気のみの流通路を設けるようにしたものが開示又は提案されている。
【０００４】
【発明が解決しようとする課題】
しかしながら、通常、交換レンズシステムにおけるカメラ本体には、複数の焦点距離レンジの交換ズームレンズ鏡筒が装着される。従ってカメラ本体に内圧調整用の通気孔を設けた場合には、防水防滴性能を満足させるために、最も容積変化が大きなレンズ鏡筒に対応する必要があり、かなり大きな防水通気孔をカメラ本体に設けなくてはならない。
【０００５】
また、レンズ鏡筒に防水通気孔を設ける場合においても、外観を損ねてしまうという問題がある。
【０００６】
実際に通気孔の面積が小さく、容積変化の大きいレンズ鏡筒をすばやく操作した際には、シーリング部分から空気が出入りし異音が発生するという問題もある。
【０００７】
さらに、防水通気孔が外観に露出した構成であると、使用者が通常の撮影時にカメラやレンズ鏡筒を操作する使用者の指等によって撥水性微多孔部材が押圧されてしまい、はがれたりキズがついたりする等の不具合が生じたり、撮影者の指に付着している油や汚れ等により撥水性微多孔部材の撥水性が損なわれたりするおそれがある。
【０００８】
一方、特開平９−１９７５２７号および特開平１１−１９０８８１号公報にて提案されているように、通気孔が１箇所のみであると、その通気孔の殆どを覆う水滴が付着した場合、撥水性微多孔部材を通過する通気量が確保できず、ポンプ作用によって内部に水滴が入り込んでしまう場合がある。そしてこのように撥水性微多孔部材を水滴が一度通過してしまうと、その撥水効果は著しく劣ってしまうという問題がある。
【０００９】
本発明は、光軸方向に進退し全長が変化するレンズ鏡筒において、外観を犠牲にすることなく防水防滴性能を確保できるようにしたレンズ鏡筒を提供することを目的とする。
【００１０】
【課題を解決するための手段】
上記の目的を達成するために、本願第１の発明では、外部空間に面し、光軸方向に進退する移動筒を有するレンズ装置において、移動筒の周壁部に、この周壁部を貫通する通気孔を形成し、通気孔を塞ぐように配置された撥水性微多孔部材と、移動筒の周壁部の外周に撥水性微多孔部材を覆うように配置され、かつ通気孔および撥水性微多孔部材を通る空気の通路となる、外部空間に対して光軸方向に向かって開口する隙間を空けて配置された外観部材とを設けている。
【００１１】
このように、外観部材によって撥水性微多孔部材を覆うことにより外観を損なわず、また使用者が直接、撥水性微多孔部材に触れることも防止でき、防水防滴性能を維持しつつ鏡筒の内部と外部との間の通気を確保することが可能となる。
【００１２】
なお、上記隙間は、光軸方向のうち被写体側とは反対方向に向かって開口するようにするとよい。これにより、上記開口を外観上、被写体側から目立ちにくくすることが可能であるとともに、開口部付近への水滴等の付着の可能性を低くすることが可能となる。
【００１３】
また、外観部材として、最も被写体側のレンズの前に光学フィルタを装着するための部材を兼用することにより、新たな部材を追加することなく上記効果を得ることが可能となる。
【００１４】
また、通気孔を、移動筒の周壁部に形成された、移動筒に対してレンズの光軸方向位置を調節するためのカム溝又はレンズを固定するために用いられる孔（ビス穴等）と兼用することが可能である。これにより、新たな孔形状を移動筒に追加する必要がなく、移動筒の部品としての強度上有利であり、製造コストも削減することが可能である。
【００１５】
また、通気孔を、移動筒の周壁部の周方向複数箇所に形成し、これら複数の通気孔を、周方向に延びるよう一体に形成された撥水性微多孔部材で塞ぐようにすることにより、撥水性微多孔部材の一部に付着している水滴が鏡筒内に吸い込まれることを防止することが可能である。
【００１６】
また、移動筒が最も被写体側のレンズを保持し、固定部に対して光軸方向に進退可能である場合に、レンズの周囲に形成される、複数の部材間の隙間をシール部材によって封止し、移動筒と固定部との間の隙間を、移動筒に対して摺動可能な摺動部材によって封止することにより、きわめて高い防水防滴性能を確保することが可能である。
【００１７】
さらに、本願第２の発明では、外部空間に面し、固定部に対して光軸方向に進退する移動筒を有するレンズ装置において、移動筒と固定部との間の隙間を移動筒に対して摺動可能な摺動部材によって封止し、かつ摺動部材を、固定部に対して光軸直交方向に変位する移動筒とともに移動可能なように固定部に保持している。
【００１８】
これにより、移動筒が固定部に対して光軸直交方向に移動して（がたついて）も、摺動部材が移動筒とともに移動することによって移動筒と固定部との間のシール効果を維持することができ、きわめて高い防水防滴性能を確保することが可能である。
【００１９】
なお、この場合、摺動部材と固定部との間に防滴性の油又は接着剤を塗布し、摺動部材の固定部に対する光軸回りでの回転を阻止することにより、摺動部材と固定部との間の防水防滴性能も確保することができる。
【００２０】
【発明の実施の形態】
図１〜図１１には、本発明の実施形態である一眼レフカメラ用交換ズームレンズ鏡筒（レンズ装置）の構成を示している。このズームレンズ鏡筒は、防水防滴性能を有し、同じく防水防滴性能を有する一眼レフカメラ本体に装着されて防水防滴性能に優れたカメラシステムを構成する。
【００２１】
図１は、本実施形態のズームレンズ鏡筒を光軸方向前側（被写体側）から見た図であり、図２〜図４はＷＩＤＥ端でのズームレンズ鏡筒を示す図、図５〜図７はＴＥＬＥ端でのズームレンズ鏡筒を示す図である。なお、図４および図７は、図１のＡ−Ａ線における矢印方向に見たときの断面図であり、それぞれ断面のみを示している。また、図８および図９は、本実施形態のズームレンズ鏡筒の主要部分を分解して示している。さらに、図１０は、図１におけるＤ−Ｄ線での矢印方向に見たときの断面図であり、図１１は図３におけるＥ−Ｅ線での矢印方向に見たときの断面図である。
【００２２】
まず、図２〜図７を用いて本ズームレンズ鏡筒の構成について説明する。このズームレンズ鏡筒はその焦点距離範囲が２４ｍｍ〜７０ｍｍのものであり、ズーム操作環１６を回転させることでカム環３１を回転させ、焦点距離を変化させることができるように構成されている。
【００２３】
Ｌ１〜Ｌ６は第１〜第６レンズ群を表し、各レンズ群は、それぞれを保持するレンズ保持枠６，３３，３４，３７，３９，４０に固定されている。
【００２４】
第１レンズ群Ｌ１は１群保持枠６に固定され、１群保持枠６は移動筒９とビス１０で一体化されている。移動筒９は、案内筒３０に形成された光軸方向に延びる直進溝と、光軸回りで回転するカム環３１に形成されたカム溝部３１ａとに、移動筒９に固定された直進カムフォロワー４１が入り込むことで、光軸方向前後に進退駆動され、ＷＩＤＥからＴＥＬＥに焦点距離が変化する際には光軸方向後方に移動する。なお、１群保持枠６は、移動筒９に対してビス１０で固定される前に、位置調整ができる構成となっているが、詳しくは後述する。
【００２５】
第２レンズ群Ｌ２および第４レンズ群Ｌ４はそれぞれ、２群保持枠３３および４群保持枠３７に固定されている。２群保持枠３３および４群保持枠３７は共に直進筒３２に不図示のコロ、ビス等により固定されており、ＷＩＤＥからＴＥＬＥに焦点距離が変化する際には光軸方向前方に一体的に移動する。
【００２６】
第３レンズ群Ｌ３は３群保持枠３４に固定されており、カム環３１の回転に伴って２群、４群間を光軸方向に進退する。また、３群保持枠３４には、絞りユニット３６と、焦点距離に応じて開口径が変化する副絞りユニット３５とが固定されている。
【００２７】
第５レンズ群Ｌ５はフォーカス群であり、５群保持枠３９に固定されている。５群保持枠３９は、振動型モータユニット２８と不図示の連結部材を介して連結されており、オートフォーカシング時には振動型モータユニット２８の駆動力によって光軸回りで回転しながら不図示のカムの作用によって光軸方向に移動する。
【００２８】
また、本実施形態のズームレンズ鏡筒は、焦点距離に応じてフォーカシングによるフォーカス群の進退量が異なる、所謂インナーフォーカスタイプであるため、焦点距離に応じたカムの使用領域の変更と光軸方向の位置調整とを、焦点距離の変更とともに回転するサブカム環３８によって行っている。なお、このサブカム環３８はカム環３１と一体的に回転する。また、振動型モータユニット２８は、公知の構成を有し、その詳細な説明は省略する。
【００２９】
振動型モータユニット２８の前端部には、フード保持環１２が固定されている。このフード保持環１２の爪部１２ａにフード（不図示）がバヨネット結合することでフードを保持することができる。
【００３０】
第６レンズ群Ｌ６は固定群であり、６群保持枠４０に固定されている。６群保持枠４０は固定筒１５に固定されている。
【００３１】
２２は一眼レフカメラ本体と結合するためのマウントであり、接点ブロック２３においてカメラ本体側と電気的な通信を行えるようになっている。接点ブロック２３からの信号は、フレキシブルプリント基板２３ａを介して接続されたメイン基板２９に実装されている制御回路（図示せず）に伝達され、制御回路はズーミングやフォーカシング等の制御を行う。
【００３２】
また、本ズームレンズ鏡筒がカメラ本体に結合された際には、シーリングゴム１９がカメラ本体に当接し、マウント２２付近の防水防滴性能が確保される。
【００３３】
なお、振動型モータユニット２８、案内筒３０、固定筒１５およびマウント２２をここでは固定部と称し、これらの部材に固定される部材もまた固定部を構成する。
【００３４】
１３は振動型モータユニット２８上に設けられたフォーカスリングであり、これを回転操作することでマニュアルによる焦点調節を行うことができるようになっている。１４，１７はゴムリングであり、操作部の操作感の向上を図るために設けられている。
【００３５】
２０は被写体距離を表示する目盛窓、２１はＡ／Ｍ切り換えスイッチであり、フォーカスリング１３を使用したマニュアルフォーカスと振動型モータによるオートフォーカシング動作とを切り換えるためのスイッチである。
【００３６】
また、フォーカスリング１３およびＡ／Ｍ切り換えスイッチ２１の摺動部には防水防滴のために、シーリングゴムが設けられたり防水防滴油が塗布されたりされている。
【００３７】
また、図４と図７との比較から分るように、本ズームレンズ鏡筒は焦点距離の変化に応じて全長が変化する構成であり、この際、特にズームレンズ鏡筒内の空間Ｃの容積変化が大きい。このため、ズームレンズ鏡筒内に対して、空間Ｃの容積変化分の空気の出入りが可能な通気孔が必要である。また、この通気孔において、容積変化によるポンプ作用によって外気をズームレンズ鏡筒内に引き込む吸引力が発生してしまうため、より高い防水防滴対策が必要である。
【００３８】
そこで、本実施形態では、ズームレンズ鏡筒の先端付近に、空間Ｃの容積変化分の空気の出入りを行わせる通気孔を設けている。以下、図８および図１０を用いて、上記通気孔の周辺の構成について説明する。
【００３９】
移動筒９の周壁部９ｅの前端付近には、カム溝部９ｂと、このカム溝部９ｂと同一のリードを持ったビス止め用長孔部９ｃとが、周方向に略等角度間隔で３箇所ずつ、周壁部９ｅを貫通するように形成されている。なお、移動筒９の周壁部９ｅの外周におけるこれらカム溝部９ｂとビス止め用長孔部９ｃが形成された帯状部分９ｄは、他の部分に比べて径が若干小さく形成されている。
【００４０】
また、移動筒９の周壁部９ｅの最前端面には、フィルター枠４を固定するためのビス穴９ａが周方向３箇所に形成されている。
【００４１】
この移動筒９に、第１レンズ群Ｌ１を保持した１群保持枠６を取り付ける際には、まず、１群保持枠６の３箇所に形成されたコロ座６ｃに、カム溝部９ｂを通過させたカムフォロワー８を入り込ませ、ビス７を締め付けて１群保持枠６を仮止めする。
【００４２】
この状態で、１群保持枠６をカム溝部９ｂの周方向幅内で回転させると、カムのリードによって１群保持枠６の光軸方向位置が変化し、ズーミングの焦点ずれを補正するための光学調整を行うことができる。なお、カムフォロワー８はカム溝部９ｂと圧入設定されているため、光学調整が終わった状態でショックを与えない限り１群保持枠６は移動しない。
【００４３】
次に、上記光学調整後の状態で１群保持枠６を固定するために、１群保持枠６の３箇所に形成されたビス穴６ｄに、ビス止め用長孔部９ｃを通過させたビス１０を締め付ける。
【００４４】
その後、一段外径が小さい帯状部分９ｄに、この帯状部分９ｄとほぼ同じ幅を有する帯状に形成された撥水性微多孔部材１１を貼り付ける。これにより、カム溝部９ｂとビス止め用長孔部９ｃが撥水性微多孔部材１１によって塞がれるかたちとなる。なお、撥水性微多孔部材１１は、ゴアテックス（登録商標）やミクロテックス（登録商標）等、空気の通過は許容し、水滴の通過は禁止する素材により形成されている。
【００４５】
これにより、図１０中に矢印で示すように、カム溝部９ｂとビス止め用長孔部９ｃを通じた空間Ｃと鏡筒の外部空間との間での通気を確保しつつ、これらカム溝部９ｂとビス止め用長孔部９ｃを通してレンズ鏡筒内部（空間Ｃ）にゴミや水滴が侵入することを防止できる。
【００４６】
なお、撥水性微多孔部材１１は、帯状部分９ｄ側の面の周縁部が、接着剤又は両面接着テープによって帯状部分９ｄに貼り付けられる。このため、撥水性微多孔部材１１の周縁部と帯状部分９ｄとの間からの水滴等の侵入を防止できる。また、本実施形態のように、複数のカム溝部９ｂとビス止め用長孔部９ｃとを１つ（単一）の撥水性微多孔部材１１で覆うようにすることで、カム溝部９ｂやビス止め用長孔部９ｃごとに撥水性微多孔部材を貼り付ける場合に比べて、組立作業が容易であり、コスト的にも有利である。
【００４７】
その後、内周にフィルター取り付け用のネジ部が加工されているフィルター枠（外観部材）４を、このフィルター枠４に形成された孔４ｂを透過させた３本のビス５を移動筒９のビス穴９ａに締め付けることで、移動筒９に固定する。
【００４８】
移動筒９に固定されたフィルター枠４の後側部分４ｃは、撥水性微多孔部材１１に対して光軸直交方向（ラジアル方向）に所定寸法を有する隙間Ｓを空けて撥水性微多孔部材１１の外周を覆う。また、フィルター枠４の後端部４ｄは、撥水性微多孔部材１１の外周に面する部分よりも若干内径が小さく形成されており、この後端部４ｄと移動筒９の外周との間の隙間が上記隙間Ｓに連通し、上記隙間Ｓの開口部Ｂとなっている。
【００４９】
このようにフィルター枠４が撥水性微多孔部材１１を覆うように配置されることにより、使用者は撥水性微多孔部材１１（特に、カム溝部９ｂやビス止め用長孔部９ｃを塞いでいる部分）に触れることはできない。また、開口部Ｂは光軸方向後方に向かって開いている。これは、開口部が光軸方向前方に向かって開いている場合に比べて、開口部付近へのゴミや水滴の付着の可能性を少なくすることができるからである。また、開口部Ｂの隙間も被写体側から目立たなくすることができ、外観上も好ましいからである。
【００５０】
なお、通気孔であるカム溝部９ｂおよびビス止め用長孔部９ｃが複数箇所に形成されていることにより、仮に水滴が開口部Ｂから隙間Ｓ内に侵入し、１つのカム溝部９ｂ又はビス止め用長孔部９ｃを覆ったとしても、他のカム溝部９ｂ又はビス止め用長孔部９ｃによって通気が確保されるため、ポンプ作用による水滴のレンズ鏡筒内への吸い込みを防止することができる。
【００５１】
また、本ズームレンズ鏡筒の最前部における第１レンズ群Ｌ１の周囲に関しても防水防滴性能を確保する必要がある。そこで、本実施形態では、１群保持枠６の前側の段差部６ａと、フィルター枠４の内側で１群保持枠６の前側に装着された化粧環１の後方に延びる壁部１ａとの間には、Ｏリング（シール部材）３が挟み込まれている。
【００５２】
また、化粧環１とフィルター枠４との間には、発泡シーリング材（シール部材）２が挟み込まれている。発泡シーリング材２は弾性変形しても防水防滴性を維持できる部材である。この発泡シーリング材２を化粧環１の後側に貼り付けた後に、化粧環１に形成された３箇所の爪部１ｂを１群保持枠６の３箇所に形成された周溝部６ｂに入り込ませることで、発泡シーリング材２とＯリング３を圧縮しながら化粧環１を固定する。
【００５３】
これにより、フィルター枠４と化粧環１との間は発泡シーリング材２によって、また化粧環１と１群保持枠６との間はＯリング３によって、これら各部材間の防水防滴性能を確保している。なお、フィルター枠４と化粧環１との間に発泡シーリング材２を使用し、Ｏリングを使用していない理由は、１群保持枠６が前述した光学調整により光軸方向位置がレンズ鏡筒毎に変動するために、ある程度の発泡シーリング材２の潰し量に幅を持たせることができるからである。
【００５４】
次に、図９（および図４，図７）を用いて、フード保持環１２付近の摺動部の構成について説明する。
【００５５】
フード保持環１２の内周には、該内周の光軸方向前部よりも内径が大きい段部１２ｄが形成されており、この段部１２ｄの内側には、段部１２ｄの内径よりも所定寸法だけ外径が小さい摺動リング２５が配置される。段部１２ｄの内径と摺動リング２５の外径との差の分、摺動リング２５はフード保持環１２の内側で光軸直交方向に移動可能である。
【００５６】
摺動リング２５の内周前側に形成された段部には、撥水処理されたフェルト部材２６が１周以上の長さで貼り付けられている。焦点距離の変化により固定部に対して光軸方向進退する移動筒９の周壁部９ｅの外周面は、このフェルト部材２６と摺動リング２５（これらにより摺動部材が構成される）に対して摺動する。なお、鏡筒への組み込み前の状態においては、フェルト部材２６の内径は、移動筒９の外周面の径よりも小さい。このため、鏡筒への組み込み後は、フェルト部材２６は移動筒９の外周面に対して圧接した状態で移動筒９の摺動を許容する。
【００５７】
２７は補強リングであり、その外径部がフード保持環１２の内周に形成された圧入突起部１２ｃの内径側に圧入されることで、フード保持環１２に保持される。この補強リング２７は、摺動リング２５（つまりはフェルト部材２６）の光軸方向移動を阻止する役割も兼ねている。
【００５８】
摺動リング２５の外周３箇所には凹部２５ａが形成されており、フード保持環１２の内周に形成されている突起１２ｂがこの凹部２５ａに入り込むことで、摺動リング２５の回転が阻止される。なお、摺動リング２５の前端面とこの前端面に対向する、フード保持環１２の内周に形成された端面１２ｅとの間、摺動リング２５の後端面と補強リング２７の前端面との間にはそれぞれ防水防滴油が塗布されている。
【００５９】
以上の構成により、ＴＥＬＥ側へのズーミングによって移動筒９が前方に伸長し、移動筒９および第１レンズ群Ｌ１等を含む移動部の自重や外力によって移動筒９が固定部の１つであるフード保持環１２に対して光軸直交方向に移動（傾いた）した場合でも、摺動リング２５は移動筒９とともにフード保持環１２に対して光軸垂直方向にシフトする。このため、移動筒９と摺動リング２５（フェルト部材２６）との間に隙間が発生することはなく、ここからの水滴の侵入を防ぐことができる。
【００６０】
また、前述したように、摺動リング２５の前端面とフード保持環１２の端面１２ｅとの間および摺動リング２５の後端面と補強リング２７の前端面との間に防水防滴油が塗布されているため、これらの間の隙間から水滴が侵入することも防ぐことができる。
【００６１】
なお、摺動リング２５はその回転が阻止されているため、摺動リング２５が回転することによる油切れの発生も防止できる。また、前述したフェルト部材２６と移動筒９の外周面との寸法関係により、フェルト部材２６は若干つぶれた状態にあり、移動筒９の外周面との間の隙間量の変化に応じてつぶれ量が変化するため、移動筒９の外周面とフェルト部材２６との間に隙間が発生することもなく、防水防滴性能を維持できる。
【００６２】
このように、本実施形態によれば、移動筒９の光軸方向への進退によるズームレンズ鏡筒の内部容積の変化が大きくても、その容積変化に対応した空気の流通を防水防滴性能を維持したまま確保することができる。このため、ズームレンズ鏡筒の内圧を外圧と実質的に同一にでき、ズーミング時の移動筒９の移動がスムーズに行われる。
【００６３】
なお、本実施形態においては、通気孔として光学調整用のカム溝部９ｂやレンズ固定ビス用の長孔部９ｃを兼用した場合について説明したが、専用の通気孔を設けた場合でも本発明を適用することができる。また、摺動リング２５とフード保持環１２の間に防水防滴油に代えて弾性接着剤を充填しても同様の効果を得ることができる。
【００６４】
また、上記実施形態のレンズ鏡筒の構成は例に過ぎず、本発明が適用されるレンズ装置の構成は上記実施形態のものに限られない。
【００６５】
【発明の効果】
以上説明したように、本願第１の発明によれば、外観部材によって撥水性微多孔部材を覆うことにより外観を損なわず、また使用者が直接、撥水性微多孔部材に触れることも防止でき、防水防滴性能を維持しつつ鏡筒の内部と外部との間の通気を確保することができる。したがって、移動筒の移動をスムーズに行わせることができる。
【００６６】
また、本願第２の発明によれば、移動筒が固定部に対して光軸直交方向に移動しても、摺動部材が移動筒とともに移動することによって移動筒と固定部との間のシール効果を維持することができ、きわめて高い防水防滴性能を確保することができる。
【図面の簡単な説明】
【図１】本発明の実施形態であるレンズ鏡筒を光軸方向前側から見た図である。
【図２】上記レンズ鏡筒のＷＩＤＥ端での斜視図である。
【図３】上記レンズ鏡筒のＷＩＤＥ端での正面図である。
【図４】図１のＡ−Ａ線における上記レンズ鏡筒のＷＩＤＥ端での断面図である。
【図５】上記レンズ鏡筒のＴＥＬＥ端での斜視図である。
【図６】上記レンズ鏡筒のＴＥＬＥ端での正面図である。
【図７】図１のＡ−Ａ線における上記レンズ鏡筒のＴＥＬＥ端での断面図である。
【図８】本上記レンズ鏡筒の前側部分の分解斜視図である。
【図９】上記レンズ鏡筒のフード保持環付近の分解斜視図である。
【図１０】図１のＤ−Ｄ線での上記レンズ鏡筒の断面図である。
【図１１】図３のＥ−Ｅ線での上記レンズ鏡筒の断面図である。
【符号の説明】
Ｌ１〜Ｌ６　　レンズ群
１　　化粧環
２　　発泡シーリング材
３　　Ｏリング
４　　フィルター枠（外観部材）
６　　１群保持枠
９　　移動筒
１１　　撥水性微多孔部材
１２　　フード保持環（固定部）
２５　　摺動リング（摺動部材）
【図１】
2004093612.tif 000003
【図２】
2004093612.tif 000004
【図３】
2004093612.tif 000005
【図４】
2004093612.tif 000006
【図５】
2004093612.tif 000007
【図６】
2004093612.tif 000008
【図７】
2004093612.tif 000009
【図８】
2004093612.tif 000010
【図９】
2004093612.tif 000011
【図１０】
2004093612.tif 000012
【図１１】
2004093612.tif 000013